(57)【要約】【課題】静電型スピーカから人体へ流れる電流を抑える。【解決手段】静電型スピーカ１には、変圧器５０、外部から音響信号が入力される入力部６０、振動体１０に対して直流バイアスを与えるバイアス電源７０を備えた駆動部１００が接続される。一つの電極２０Ｕ，２０Ｌには、一つの抵抗器が接続されており、電極２０Ｕには抵抗器ＲＵが接続され、電極２０Ｌには抵抗器ＲＬが接続されている。各抵抗器ＲＵにおいて電極２０Ｕに接続されている側と反対側の端子は、一点で接続されて変圧器５０の出力側の端子Ｔ１に接続される。また、各抵抗器ＲＬにおいて電極２０Ｌに接続されている側と反対側の端子は、一点で接続されて変圧器５０の出力側のもう一方の端子Ｔ２に接続される。また、振動体１０は、抵抗器Ｒｃを介してバイアス電源７０に接続される。変圧器５０の中点の端子Ｔ３は、グランドに接続されている。【選択図】図４
2012004875.tif 000002
【特許請求の範囲】
【請求項１】
導電性を有するシート状の振動体と、
前記振動体と対向し、互いに間隔をあけて配置された複数の第１電極と、
前記振動体と前記第１電極との間に位置して前記振動体と前記第１電極の間隔をあける第１部材と、
前記振動体を挟んで前記第１電極と対向し、互いに間隔をあけて配置された複数の第２電極と、
前記振動体と前記第２電極との間に位置して前記振動体と前記第２電極の間隔をあける第２部材と、
前記複数の第１電極毎に設けられ、前記第１電極に接続されて音響信号が供給され、前記音響信号の電圧値が予め定められた電圧値の時に前記第１電極に流れる電流の電流値を予め定められた値未満にする複数の抵抗器と、
前記複数の第２電極毎に設けられ、前記第２電極に接続されて音響信号が供給され、前記音響信号の電圧値が予め定められた電圧値の時に前記第２電極に流れる電流の電流値を予め定められた値未満にする複数の抵抗器と、
を有する静電型スピーカ。
【請求項２】
前記複数の第１電極は、絶縁物で覆われ、前記複数の第２電極は、絶縁物で覆われていること
を特徴とする請求項１に記載の静電型スピーカ。
【請求項３】
前記第１電極に接続されている複数の抵抗器は、前記第１電極と接続されている側と反対側の端子が互いに接続され、
前記第２電極に接続されている複数の抵抗器は、前記第２電極と接続されている側と反対側の端子が互いに接続されていること
を特徴とする請求項１または請求項２に記載の静電型スピーカ。
【発明の詳細な説明】
【技術分野】
【０００１】
本発明は、静電型スピーカに関する。
【背景技術】
【０００２】
柔軟性があり、折ったり曲げたりすることの可能な静電型スピーカとして、例えば、特許文献１に開示された静電型スピーカがある。この静電型スピーカは、アルミニウムが蒸着されたポリエステルのフィルムを、導電性を有する糸により織られた２枚の布の間に挟み、フィルムと布との間にエステルウールが配置されている。
【先行技術文献】
【特許文献】
【０００３】
【特許文献１】特開２００８−５４１５４号公報
【発明の概要】
【発明が解決しようとする課題】
【０００４】
特許文献１に開示されたスピーカにおいては、電極として機能する布が露出しているため、この布が人体に触れやすくなっており、布に人体が触れると電流がスピーカから人体へ流れて感電する虞がある。
【０００５】
本発明は、上述した背景の下になされたものであり、静電型スピーカから人体へ流れる電流を抑える技術を提供することを目的とする。
【課題を解決するための手段】
【０００６】
上述した課題を解決するために本発明は、導電性を有するシート状の振動体と、前記振動体と対向し、互いに間隔をあけて配置された複数の第１電極と、前記振動体と前記第１電極との間に位置して前記振動体と前記第１電極の間隔をあける第１部材と、前記振動体を挟んで前記第１電極と対向し、互いに間隔をあけて配置された複数の第２電極と、前記振動体と前記第２電極との間に位置して前記振動体と前記第２電極の間隔をあける第２部材と、前記複数の第１電極毎に設けられ、前記第１電極に接続されて音響信号が供給され、前記音響信号の電圧値が予め定められた電圧値の時に前記第１電極に流れる電流の電流値を予め定められた値未満にする複数の抵抗器と、前記複数の第２電極毎に設けられ、前記第２電極に接続されて音響信号が供給され、前記音響信号の電圧値が予め定められた電圧値の時に前記第２電極に流れる電流の電流値を予め定められた値未満にする複数の抵抗器と、を有する静電型スピーカを提供する。
【０００７】
本発明において、前記複数の第１電極は、絶縁物で覆われ、前記複数の第２電極は、絶縁物で覆われている構成でもよい。
また、本発明において、前記第１電極に接続されている複数の抵抗器は、前記第１電極と接続されている側と反対側の端子が互いに接続され、前記第２電極に接続されている複数の抵抗器は、前記第２電極と接続されている側と反対側の端子が互いに接続されている構成でもよい。
【発明の効果】
【０００８】
本発明によれば、静電型スピーカから人体へ流れる電流を抑えることができる。
【図面の簡単な説明】
【０００９】
【図１】本発明の一実施形態に係る静電型スピーカ１の外観図。
【図２】図１のＡ−Ａ線断面図。
【図３】静電型スピーカ１の分解図。
【図４】静電型スピーカ１の電気的構成を示した図。
【図５】本発明の変形例に係る静電型スピーカ１の側面の拡大図。
【図６】本発明の変形例に係る静電型スピーカ１の側面の拡大図。
【図７】本発明の変形例に係る電極２０ＵＡの下面図。
【図８】本発明の変形例に係る静電型スピーカ１の上面図。
【図９】変形例に係る静電型スピーカ１の分解図。
【発明を実施するための形態】
【００１０】
［実施形態］
図１は、本発明の実施形態に係る静電型スピーカ１の外観図、図２は、静電型スピーカ１のＡ−Ａ線断面図である。また図３は、静電型スピーカ１の分解図、図４は、静電型スピーカ１の電気的構成を示した図である。なお、図においては、直交するｘ軸、ｙ軸およびｚ軸で方向を示しており、静電型スピーカ１を正面から見たときの左右方向をｘ軸の方向、奥行き方向をｙ軸の方向、高さ方向をｚ軸の方向としている。また、図中、「○」の中に「・」が記載されたものは図面の裏から表に向かう矢印を意味するものとする。また、図中、「○」の中に「×」が記載されたものは図面の表から裏に向かう矢印を意味するものとする。
【００１１】
図に示したように、静電型スピーカ１は、振動体１０、ｎ個の電極２０Ｕ、ｎ個の電極２０Ｌ（ｎは整数）、および弾性部材３０Ｕ，３０Ｌで構成されている（図においてはｎ＝２０）。なお、本実施形態においては、電極２０Ｕと電極２０Ｌの構成は同じであり、弾性部材３０Ｕ（第１部材）と弾性部材３０Ｌ（第２部材）の構成は同じである。このため、各部材において両者を区別する必要が特に無い場合は、「Ｌ」および「Ｕ」などの記載を省略する。また、図中の振動体、電極等の各構成要素の寸法は、構成要素の形状を容易に理解できるように実際の寸法とは異ならせてある。
【００１２】
（静電型スピーカ１の各部の構成）
まず、静電型スピーカ１を構成する各部について説明する。ｚ軸上の点から見て矩形の振動体１０は、ＰＥＴ（polyethylene terephthalate：ポリエチレンテレフタレート）またはＰＰ（polypropylene：ポリプロピレン）などの絶縁性および柔軟性を有する合成樹脂のフィルム（絶縁層）を基材とし、フィルムの一方の面に導電性のある金属を蒸着して導電膜（導電層）を形成したシート状の構成となっている。なお、本実施形態においては、導電膜は、フィルムの一方の面に形成されているが、フィルムの両面に形成されていてもよい。
【００１３】
弾性部材３０は、本実施形態においては不織布であって電気を通さず空気および音の通過が可能となっており、その形状はｚ軸上の点から見て矩形となっている。また、弾性部材３０は、弾性を有しており、外部から力を加えられると変形し、外部から加えられた力が取り除かれると元の形状に戻る。なお、弾性部材３０は、絶縁性があり、音が透過し、弾性がある部材であればよく、中綿に熱を加えて圧縮したもの、織られた布、合成樹脂を海綿状にしたものなどであってもよい。なお、本実施形態においては、弾性部材３０Ｕと弾性部材３０Ｌの寸法は同じとなっている。また、弾性部材３０は、左右方向の幅（ｘ軸方向の幅）が振動体１０の左右方向の幅より広く、奥行き方向の幅（ｙ軸方向の幅）が振動体１０の奥行き方向の幅より広くなっている。
【００１４】
電極２０は、ＰＥＴまたはＰＰなどの絶縁性を有する合成樹脂のフィルム（絶縁層）を基材とし、フィルムの一方の面に導電性のある金属を蒸着して導電膜（導電層）を形成した構成となっている。各電極２０は、ｚ軸上の点から見て矩形となっており、左右方向の幅はいずれも同じであり、また、奥行き方向の幅も同じとなっている。また、電極２０は、表面から裏面に貫通する孔を複数有しており、空気および音の通過が可能となっている。なお、図面においては、この孔の図示を省略している。電極２０Ｕの個数と、電極２０Ｌの個数は同じとなっている。電極２０Ｕの個数と、電極２０Ｌの個数については後述する。
【００１５】
（静電型スピーカ１の構造）
次に静電型スピーカ１の構造について説明する。静電型スピーカ１においては、振動体１０は、弾性部材３０Ｕの下面と弾性部材３０Ｌの上面との間に配置されている。なお、振動体１０は、左右方向の縁と奥行き方向の縁から内側へ数ｍｍの幅で接着剤が塗布されて弾性部材３０Ｕと弾性部材３０Ｌに接着されており、接着剤が塗布された部分より内側は弾性部材３０Ｕと弾性部材３０Ｌに固着されていない状態となっている。
【００１６】
電極２０Ｕは、奥行き方向（ｙ軸方向）へ予め定められた間隔を開けて弾性部材３０Ｕの上面に並べられ、弾性部材３０Ｕに接着されている。また、電極２０Ｌは、弾性部材３０Ｌの下面側において奥行き方向へ予め定められた間隔を開けて並べられ、弾性部材３０Ｌに接着されている。なお、電極２０Ｕは、左右方向の縁と奥行き方向の縁から内側へ数ｍｍの幅で接着剤が塗布されて弾性部材３０Ｕに接着されており、接着剤が塗布された部分より内側は弾性部材３０Ｕに固着されていない状態となっている。また、電極２０Ｌも、左右方向の縁と奥行き方向の縁から内側へ数ｍｍの幅で接着剤が塗布されて弾性部材３０Ｌに接着されており、接着剤が塗布された部分より内側は弾性部材３０Ｌに固着されていない状態となっている。また、電極２０Ｕは、導電膜のある側が弾性部材３０Ｕに接しており、電極２０Ｌは、導電膜のある側が弾性部材３０Ｌに接している。
【００１７】
なお、電極２０Ｕと電極２０Ｌは、一の電極２０Ｕと一の電極２０Ｌが振動体１０を挟んで対向するように配置されている。具体的には、電極２０Ｕと電極２０Ｌは、ｚ軸上の点から見ると左右方向の位置と奥行き方向の位置が同じとなっている。
【００１８】
（静電型スピーカ１の電気的構成）
次に、静電型スピーカ１の電気的構成について説明する。
図４に示したように、静電型スピーカ１には、変圧器５０、外部から音響信号が入力される入力部６０、振動体１０に対して直流バイアスを与えるバイアス電源７０を備えた駆動部１００が接続される。また、静電型スピーカ１は、複数の抵抗器を有している（抵抗器の抵抗値については後述する）。
一つの電極２０には、一つの抵抗器が接続されており、電極２０Ｕには抵抗器ＲＵが接続され、電極２０Ｌには抵抗器ＲＬが接続される。各抵抗器ＲＵにおいて電極２０Ｕに接続されている側と反対側の端子は、一点で接続されて変圧器５０の出力側の端子Ｔ１に接続される。また、各抵抗器ＲＬにおいて電極２０Ｌに接続されている側と反対側の端子は、一点で接続されて変圧器５０の出力側のもう一方の端子Ｔ２に接続される。
また、振動体１０は、抵抗器Ｒｃを介してバイアス電源７０に接続される。変圧器５０の中点の端子Ｔ３は、グランドに接続される。
【００１９】
この構成においては、静電型スピーカ１は、プッシュプル型の静電型スピーカとして機能する。入力部６０に音響信号が入力されると、入力された音響信号に応じた電圧が変圧器５０から抵抗器ＲＵ，ＲＬを介して電極２０Ｕ，２０Ｌに印加される。具体的には、端子Ｔ１から出力された信号は、抵抗器ＲＵに供給され、各抵抗器ＲＵから電極２０Ｕへ供給される。また、端子Ｔ２から出力された信号は、抵抗器ＲＬに供給され、各抵抗器ＲＬから電極２０Ｌへ供給される。
そして、印加された電圧によって電極２０Ｕの導電膜と、電極２０Ｌの導電膜との間に電位差が生じると、振動体１０の導電膜には電極２０Ｕと電極２０Ｌのいずれかの側へ引き寄せられるような静電力が働き、振動体１０は、この静電力に応じて電極２０Ｕと電極２０Ｌのいずれかの方向に変位する。そして、音響信号に応じて振動体１０の変位方向や変位量が逐次変わることによって振動体１０が振動し、その振動状態（振動数、振幅、位相）に応じた音が振動体１０から発生する。なお、発生した音は、少なくとも一方の弾性部材３０および電極２０を通り抜けて静電型スピーカ１の外部に放射される。
【００２０】
なお、本実施形態によれば、変圧器５０から電極２０に流れる電流は抵抗器ＲＵ，ＲＬで制限されるため、静電型スピーカから人体へ流れる電流を抑えることができる。また、本実施形態においては、複数の電極２０Ｕと電極２０Ｌの対に同位相で音響信号が供給されるため、振動体１０全体を振動させることができる。また、本実施形態においては、抵抗器ＲＵは一点で接続され、抵抗器ＲＬも一点で接続されるため、変圧器５０に容易に接続することができる。
【００２１】
（抵抗器ＲＵ，抵抗器ＲＬの抵抗値）
電極２０は、静電型スピーカ１において外部に面しているため、人体が触れると人体へ電流が流れて感電する虞がある。そこで、本発明においては、電極に人体が触れても安全なように、抵抗器ＲＵと抵抗器ＲＬで電極２０に流れる電流を制限する。
【００２２】
まず、ＪＩＳ  Ｃ  ６０６５（オーディオ，ビデオ及び類似の電子機器−安全性要求事項）に鑑み、電極２０が危険な活電部とならないようにするために、電極２０に流れる電流のピーク値を予め０．７ ｍＡに設定した場合について説明する。
ここで、各電極２０に印加される予め定められた最大電圧（実効値）を１００ Ｖとし、音響信号が供給されて通常の動作をしている状態において、最大電圧の１／√８の電圧が各電極２０に印加される状態を想定する。抵抗値は、電圧／電流で求められるため、抵抗値＝（１００ Ｖ／√８）／０．７ ｍＡで求められ、各抵抗器ＲＵと各抵抗器ＲＬの抵抗値は、約５１ ｋΩとなる。なお、電極２０に印加される最大電圧（実効値）を予め２００ Ｖとした場合には、抵抗値は、抵抗値＝（２００ Ｖ／√８）／０．７ ｍＡで求められ、各抵抗器ＲＵと各抵抗器ＲＬの抵抗値は、約１０１ ｋΩとなる。
【００２３】
次に、ＪＩＳ  Ｃ  ６０６５に鑑み、故障状態で流れてはいけない電流値として、電極２０に流れる電流のピーク値を予め３．５ ｍＡに設定した場合について説明する。ここで、各電極２０に印加される最大電圧（実効値）を１００ Ｖとし、音響信号が供給されて通常の動作をしている状態において、最大電圧の１／√８の電圧が各電極２０に印加される状態を想定する。抵抗値は、抵抗値＝（１００ Ｖ／√８）／３．５ ｍＡで求められ、各抵抗器ＲＵと各抵抗器ＲＬの抵抗値は、約１０ ｋΩとなる。なお、電極２０に印加される最大電圧（実効値）を２００ Ｖとした場合には、抵抗値は、抵抗値＝（２００ Ｖ／√８）／３．５ ｍＡで求められ、各抵抗器ＲＵと各抵抗器ＲＬの抵抗値は、約２０ ｋΩとなる。
【００２４】
（電極２０の数）
次に、電極２０Ｕの個数と電極２０Ｌの個数について説明する。
静電型スピーカ１においては、電極２０に接続される抵抗器と電極２０の静電容量により、抵抗とコンデンサーの直列回路（ＲＣ回路）が形成される。このため、静電型スピーカ１においては、ＲＣ回路の時定数がスピーカとして所望の周波数特性を満足するように静電容量を設定する。
例えば、電極２０に印加される最大電圧（実効値）を２００ Ｖとし、上述した演算により抵抗器の抵抗値を１０１ ｋΩとした場合を想定する。ＲＣ回路のカットオフ周波数ｆ０は、ｆ０＝１／２πＲＣで得られるため、１０ ｋＨｚをカットオフ周波数とすると、１０ ｋＨｚ＝１／（２π×１０１ ｋΩ×Ｃ）となる。この式から一つの電極２０の静電容量Ｃを求めると、Ｃは約１５８ ｐＦとなる。ここで、１ ｍ２当たりの静電容量が１．２×１０４ ｐＦである電極がある場合、この１ ｍ２の電極を分割して複数の電極２０Ｕを形成する場合には、１つの電極の静電容量が１５８ ｐＦとなるように、１ ｍ２の電極を分割すればよい。つまり、１．２×１０４ ｐＦ／１５８ ｐＦ＝７６となり、１ ｍ２当たりの静電容量が１．２×１０４ｐＦである電極を分割して７６個の電極２０Ｕを形成し、同様に１ ｍ２当たりの静電容量が１．２×１０４ ｐＦである電極を分割して７６個の電極２０Ｌを形成する。
【００２５】
なお、上記カットオフ周波数は一例であり、静電型スピーカ１に要求される性能によってカットオフ周波数は変更される。また、分割前の電極の静電容量についても一例であり、上記の数値に限定されるものではない。
【００２６】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態及び以下の変形例は、各々を組み合わせてもよい。
【００２７】
電極２０Ｕと電極２０Ｌは、隣接する電極同士が電気的に接続されないように、電極２０同士の間に絶縁物を配置するようにしてもよい。図５は、本変形例に係る静電型スピーカ１の側面の一部を拡大した図である。図５に示したように、電極２０と電極２０の間に弾性部材３０と同じ素材の弾性部材３５を配置してもよい。
【００２８】
本発明においては、電極２０において導電膜の全面を、絶縁性を有する合成樹脂のフィルムで覆い、全面を絶縁物のフィルムで覆われた電極２０を弾性部材３０の表面に配置するようにしてもよい。
また、本発明においては、静電型スピーカ１の高さ方向の外面に絶縁物を配置するようにしてもよい。図６は、本変形例に係る静電型スピーカ１の側面の一部を拡大した図である。図６に示したように、静電型スピーカ１の外面を、弾性部材３０と同じ素材の弾性部材３６で覆うようにしてもよい。
これらの構成によれば、電極２０の導電膜に人体が触れる可能性がさらに低くなるので、人体が感電する可能性をさらに低くすることができる。
【００２９】
上述した実施形態においては、一の電極２０は、一のフィルム上に導電膜が形成された構成となっているが、電極２０の構成は、この構成に限定されるものではない。図７は、本変形例に係る電極２０ＵＡの下面図である。図７に示したように、電極２０ＵＡにおいては、ＰＥＴまたはＰＰなどの絶縁性を有する合成樹脂のフィルム２１の一方の面に導電性のある金属を蒸着し、複数の導電膜（導電層）の領域２２を間隔を開けて形成した構成となっている。なお、電極２０ＵＡにおいては、一の領域２２が上述した実施形態における一の電極２０Ｕに対応する。この構成によれば、複数の領域２２が形成されたフィルムを弾性部材３０の表面に配置するだけで、予め定められた間隔で導電膜が並ぶため、上述した実施形態のように、複数の電極２０を弾性部材３０上に並べる場合と比較して、音響信号が供給される電極を、間隔を開けて容易に配置できる。なお、電極２０Ｌについても、図７に示した構成としてもよい。
【００３０】
上述した実施形態においては、電極２０Ｕと電極２０Ｌは、フィルムの表面に導電膜を形成した構成となっているが、電極２０Ｕと電極２０Ｌの構成は、この構成に限定されるものではない。例えば、導電性を有する金属板を電極２０Ｕ及び電極２０Ｌとしてもよい。また、導電性を有する糸で織られた布を矩形の形状にし、矩形の形状にされたこの布を電極２０Ｕ及び電極２０Ｌとしてもよい。また、絶縁性を有する素材（例えば、ガラスやフェノール樹脂）を板状に形成した基板上に導電膜を形成して電極２０Ｕ，２０Ｌとしてもよい。
【００３１】
上述した実施形態においては、電極２０Ｕ及び電極２０Ｌは、ｚ軸上の点から見た形状が矩形となっているが、電極２０Ｕ及び電極２０Ｌの形状は、矩形に限定されるものではない。例えば、円形、楕円形または多角形など、他の形状であってもよい。また、振動体１０についても、高さ方向から見た形状は矩形に限定されるものではなく、例えば、円形、楕円形または多角形など、他の形状であってもよい。また、静電型スピーカ１の形状についても、高さ方向から見た形状は矩形に限定されるものではなく、
【００３２】
上述した実施形態においては、電極２０Ｕ，２０Ｌは、表面から裏面に貫通する孔を複数備える構成となっているが、この孔を備えていない構成であってもよい。電極２０Ｕ，２０Ｌは、隣接する電極と間隔を開けて配置されているため、振動体１０により発生した音は、電極２０同士の間の隙間から外部へ放射される。
【００３３】
本発明においては、電極２０の左右方向の幅は、弾性部材３０の左右方向の幅より狭い構成であってもよい。また、電極２０は、高さ方向から見て、弾性部材３０より内側に位置するように配置してもよい。
【００３４】
上述した実施形態においては、電極２０Ｕ，２０Ｌは、奥行き方向へ複数行で配置されているが、左右方向へ複数行で配置されていてもよい。また、電極２０Ｕは、図８に示したように左右方向と奥行き方向へ行列で配置されていてもよい。また、図８においては、電極２０Ｕは、左右方向へ２列の配置となっているが、３列以上で配置されていてもよい。なお、電極２０Ｌについても、図８に示した電極２０Ｕと同様に左右方向と奥行き方向へ行列で配置されていてもよい。
【００３５】
上述した実施形態においては、抵抗器ＲＵ，ＲＬは、静電型スピーカ１が備える構成となっているが、抵抗器ＲＵ，ＲＬを駆動部１００に設ける構成としてもよい。また、バイアス電源７０に接続される抵抗器Ｒｃについては、上述した実施形態においては駆動部１００に設けられているが、静電型スピーカ１が備えるようにしてもよい。
【００３６】
上述した実施形態においては、電極２０に流す電流値を設定し、設定した電流値から抵抗器ＲＵ，ＲＬの抵抗値を決定しているが、抵抗器ＲＵ，ＲＬの抵抗値は、上述した計算により得られた抵抗値に限定されるものではない。電極２０に流れる電流の電流値が設定した電流値未満となるのであれば、計算により得られた抵抗値より大きな抵抗値であってもよい。
【００３７】
上述した実施形態においては、振動体１０の数は一つとなっているが、振動体１０の数は、電極２０Ｕと同じ数としてもよい。この場合、各振動体１０の左右方向の幅はいずれも同じとし、また、奥行き方向の幅も同じとする。なお、一の振動体１０の左右方向の幅を一の電極２０の左右方向の幅と同じとし、奥行き方向の幅も電極２０の奥行き方向の幅と同じとしてもよく、このように振動体１０と電極２０のサイズが同じである場合には、一の振動体１０を、一の電極２０Ｕと一の電極２０Ｌとで挟む構成としてもよい。
【００３８】
上述した実施形態においては、一の変圧器５０の端子Ｔ１が複数の抵抗器ＲＵに接続され、一の変圧器５０の端子Ｔ２が複数の抵抗器ＲＬに接続されているが、変圧器５０と抵抗器ＲＵ，ＲＬとの接続は、この構成に限定されるものではない。
例えば、一組の電極２０Ｕ，２０Ｌに接続された抵抗器ＲＵ，ＲＬについて、一の変圧器５０が接続される構成、即ち、一組の抵抗器ＲＵ，ＲＬ毎に一つの駆動部１００を接続する構成であってもよい。
また、この構成においては、各駆動部１００に入力する音響信号を同じにするのではなく、各駆動部１００に各々異なる音響信号を入力してもよい。また、複数の駆動部１００を二組に分け、一方の組と他方の組とで異なる音響信号を入力するようにしてもよい。
【００３９】
上述した実施形態においては、静電型スピーカ１は、振動体１０を電極２０Ｕと電極２０Ｌで挟む構成となっているが、静電型スピーカ１は、振動体１０の表面（または裏面）の一方の側にのみ複数の電極２０が配置されるシングルエンドの構成であってもよい。なお、シングルエンドの構成においても、複数の電極２０毎に一の抵抗器が接続される。
【００４０】
上述した実施形態においては、一の電極２０に一の抵抗器が接続される構成となっているが、複数の抵抗器の直列接続、並列接続、または直列と並列を組み合わせた接続により、上述した計算で得た抵抗値の抵抗器を得るようにしてもよい。また、抵抗器は、固定抵抗器に限定されるものではなく、可変抵抗器または半固定抵抗器であってもよい。
【００４１】
上述した実施形態においては、電極２０と振動体１０との間に弾性部材３０を配置することにより電極２０と振動体１０とが接触しないようにされているが、電極２０と振動体１０とが接触しないようにする構成は、上述した実施形態の構成に限定されるものではない。例えば、絶縁体で形成されたスペーサを電極２０と振動体１０との間に配置することにより、電極２０と振動体１０とが接触しないようにしてもよい。図９は、本変形例に係る静電型スピーカの分解図である。スペーサ３７Ｕ，３７Ｌは、絶縁体で形成されており、その形状は図９に示したように矩形の枠の形状となっている。なお、本実施形態においては、スペーサ３７Ｕ（第１部材）とスペーサ３７Ｌ（第２部材）の高さは、いずれも同じとなっている。
静電型スピーカ１においては、電極２０Ｌは、互いに接触しないように間隔を開けてスペーサ３７Ｌの下面に固定され、電極２０Ｕは、互いに接触しないように間隔を開けてスペーサ３７Ｕの上面に固定されている。そして、スペーサ３７Ｌの上面に振動体１０が固着され、振動体１０の上にスペーサ３７Ｕの下面が固着されている。
なお、本変形例においては、振動体１０はたるみが生じないように張力を掛けられた状態でスペーサ３７Ｕとスペーサ３７Ｌの枠の間に固定される。また、電極２０Ｕは、各長辺が互いに平行になるようにしてスペーサ３７Ｕに固定される。また、電極２０Ｌは、振動体１０を挟んで電極２０Ｕと対向し、長辺が互いに平行になるようにしてスペーサ３７Ｌに固定される。この構成によれば、電極２０と振動体１０との間は、スペーサ３７Ｕ，３７Ｌにより距離が保たれ、振動体１０が振動しても電極２０に接触することがない。
【００４２】
上述した実施形態においては、対向する一の電極２０Ｕと一の電極２０Ｌは、高さ方向から見ると左右方向の位置と奥行き方向の位置が同じとなっているが、位置が同じ構成に限定されるものではなく、奥行き方向、左右方向、またはその両方の方向にずれていてもよい。
【符号の説明】
【００４３】
１・・・静電型スピーカ、１０・・・振動体、２０，２０Ｕ，２０Ｌ，２０ＵＡ・・・電極、３０，３０Ｕ，３０Ｌ・・・弾性部材、３５，３６・・・弾性部材、５０・・・変圧器、６０・・・入力部、７０・・・バイアス電源、１００・・・駆動部、ＲＵ，ＲＬ・・・抵抗器、Ｔ１〜Ｔ３・・・端子
【図１】
2012004875.tif 000003
【図２】
2012004875.tif 000004
【図３】
2012004875.tif 000005
【図４】
2012004875.tif 000006
【図５】
2012004875.tif 000007
【図６】
2012004875.tif 000008
【図７】
2012004875.tif 000009
【図８】
2012004875.tif 000010
【図９】
2012004875.tif 000011